(57)【要約】【課題】装着後着用部の隆起が目立ちにくく、装着した状態で日常活動の歩きなどの動作によるずり上がりや音の発生などが生じにくく、失禁パッドを取り外さなくても便所で容易に放尿できる軽失禁者用の男性用失禁パッドを提供する。【解決手段】合成繊維又は合成繊維と綿とからなる編物からなる液透過性のトップシート1と、透湿性で液不透過性のバックシート3と、これら両シート間に高吸水性樹脂からなる繊維を主成分とする不織布からなる液吸収シート2が設けられ、ほぼ広幅部分の幅のほぼ中央部に男性の性器部の陰茎を取り出すためのほぼ縦方向に走るスリット部10が設けられていてスリット部の左右の縁近傍部分が重ね合わされてオーバーラップした構造にされており、バックシート3のほぼ広幅部分の外側面には、その左右の両縁近傍にほぼ縦方向にすべり止めテープ20a、20bが設けられている男性用失禁パッド。【選択図】  図１
2008023247.tif 000002
【特許請求の範囲】
【請求項１】
液透過性のトップシートと、透湿性で液不透過性のバックシートと、これら両シート間に液吸収シートが設けられ、
前記液透過性のトップシートは、合成繊維又は合成繊維と綿とからなる編物からなり、
前記液吸収シートは、高吸水性樹脂からなる繊維を主成分とする不織布からなり、
前記透湿性で液不透過性のバックシートは、編物、織物、不織布から選ばれたシート、又は、これらのシートの少なくとも片面に透湿性で液不透過性の微細孔を有するプラスチックフィルム層が設けられたシートからなり、
股部方向が狭幅で、その反対方向が広幅であり、前記のほぼ広幅部分の幅のほぼ中央部に男性の性器部の陰茎を取り出すためのほぼ縦方向に走るスリット部が設けられており、前記スリット部は、スリット部の左右の縁近傍部分が重ね合わされてオーバーラップした構造にされており、
前記バックシートのほぼ広幅部分の外側面には、その左右の両縁近傍にほぼ縦方向にすべり止めテープが設けられている男性用失禁パッド。
【請求項２】
前記トップシートと前記液吸収シートとが、両層を貫通する糸により縁部以外の部分でもステッチが施されている請求項１に記載の男性用失禁パッド。
【請求項３】
前記トップシートが、トリコット編物からなる請求項１又は２に記載の男性用失禁パッド。
【請求項４】
前記トップシートを構成する繊維糸の一部が、帯電防止性を有する繊維糸からなる請求項１〜３のいずれかに記載の男性用失禁パッド。
【請求項５】
前記トップシートを構成する繊維糸の少なくとも一部が、抗菌性、消臭性、吸水性から選ばれた少なくとも１種の性能を有する繊維糸からなる請求項１〜４のいずれかに記載の男性用失禁パッド。
【請求項６】
前記トップシートを構成する繊維糸の少なくとも一部が、抗菌性、消臭性及び吸水性を有する繊維糸と、帯電防止性を有する繊維糸とを少なくとも含む繊維糸からなる請求項１〜５のいずれかに記載の男性用失禁パッド。
【請求項７】
前記抗菌性、消臭性及び吸水性を有する繊維糸が、抗菌性、消臭性、吸水速乾燥性を有する、アクリル繊維又はポリエステル繊維と、綿との交撚糸からなる請求項６に記載の男性用失禁パッド。
【請求項８】
前記トップシートを構成する繊維糸における、抗菌性、消臭性及び吸水性を有する繊維糸ならびに帯電防止性を有する繊維糸以外の繊維糸が、ポリエステル繊維糸である請求項６〜７のいずれかに記載の男性用失禁パッド。
【請求項９】
用いる抗菌性、消臭性及び吸水性を有する繊維糸のうちの少なくとも一部の量の繊維糸が、前記帯電防止性を有する繊維糸でカバリングされた態様で使用される請求項５〜８のいずれかに記載の男性用失禁パッド。
【請求項１０】
前記トップシートにおける抗菌性、消臭性及び吸水性を有する繊維糸の使用割合が、前記トップシートを構成する繊維糸全体の５〜３０重量％の範囲である請求項５〜９のいずれかに記載の男性用失禁パッド。
【請求項１１】
前記トップシートにおける帯電防止性を有する繊維糸が導電性合成繊維糸からなり、前記トップシートにおける前記導電性合成繊維糸の使用割合が、前記トップシートを構成する繊維糸全体の０．１〜５重量％の範囲である請求項４〜１０のいずれかに記載の男性用失禁パッド。
【請求項１２】
前記液吸収シートを構成する高吸水性樹脂の繊維を主成分とする不織布の目付けが２０〜３０ｇ／ｍ2である請求項１〜１１のいずれかに記載の男性用失禁パッド。
【請求項１３】
前記液吸収シートを構成する高吸水性樹脂の繊維が、アクリル酸重合体の架橋物又はアクリル酸重合体の部分塩の架橋物からなる繊維である請求項１〜１２のいずれかに記載の男性用失禁パッド。
【請求項１４】
バックシートの編物、織物、又は、不織布を構成する繊維糸がポリエステル繊維、アクリル繊維、ポリアミド繊維から選ばれた繊維糸である請求項１〜１３のいずれかに記載の男性用失禁パッド。
【請求項１５】
透湿性で液不透過性の微細孔を有するプラスチックフィルム層が、ポリエチレンフィルムからなるプラスチックフィルム層である請求項１〜１４のいずれかに記載の男性用失禁パッド。
【請求項１６】
更に、狭幅部のほぼ中央部に、ほぼ縦方向にすべり止めテープが設けられている請求項１〜１５のいずれかに記載の男性用失禁パッド。
【請求項１７】
厚さが２〜４．５ｍｍである請求項１〜１６のいずれかに記載の男性用失禁パッド。
【発明の詳細な説明】
【技術分野】
【０００１】
本発明は、男性用失禁パッドに関するものである。特に繰り返し使用可能な軽失禁用の男性用失禁パッドに関する。
【背景技術】
【０００２】
従来より、紙おむつや失禁パッドとしては、排尿を吸収し、漏れを防ぐために、例えば、下記特許文献１〜４に示される様に、種々の工夫がされてきている。
【特許文献１】特開２００４−２９８４５７号公報
【特許文献２】特開２００５−３２９２１８号公報
【特許文献３】特開２００４−５７５７８号公報
【特許文献４】特開２００２−３４５８２２号公報
【発明の開示】
【発明が解決しようとする課題】
【０００３】
しかし、これらの失禁パッドは、寝たきり老人などの介護用に作られているため、厚みが厚くなり嵩も大きくなる。特に使い捨て用の紙を用いた失禁パッドなどは、かなり厚みの厚いものとなる。そして吸収体部分は、使い捨てパッドの場合、紙パルプなどのセルロース繊維と高吸水性樹脂粉末とからなるものが使用されており、紙パルプは高吸水性樹脂粉末に比べて、吸液量、吸液した液の保持能力が劣るので、吸液量、吸液した液の保持能力を大きくするため、吸収体部分も厚く、使用量は多くなり、紙おむつや紙失禁パッドの地球環境負荷の問題は世界的にも指摘されていることである。
【０００４】
使い捨て失禁パッドの場合、紙パルプの大量使用、使い捨てによるごみ問題、高吸水性樹脂ポリマーと尿の塩分の融合による焼却時のダイオキシン発生による環境汚染が問題になっている。
【０００５】
また、寝たきり老人などの介護用に使われる尿取りパッドとは違い、少量の尿（５ｃｃから１００ｃｃ程度）までの軽失禁者に対して、あるいはまた、社会生活上健康体であるにもかかわらず、尿漏れや頻尿、切れの悪さなどで便所で放尿した後においても、少量の尿が漏れてきて、下着パンツ（トランクス、ブリーフ、ビキニタイプ下着パンツなど）が少し汚れたり、湿って不快感を我慢している男性もかなり多い。このように、寝たきりでない、日常活動ができる男性において、少量の尿の漏れを吸収するため、前述のような厚みが厚い尿取りパッドなり、嵩の大きくなる尿取りパッドを装着することは、男性の場合、性器部が前側に突出しているので、装着後、装着部分が隆起して体裁が悪く、他人に失禁者であることを察知されるおそれがあり、日常生活ができるような尿失禁者が着用したがらないと言う傾向がある。しかも、紙製の尿取りパッドの場合には、歩くとカサカサする紙の変形に伴う音がして他人に失禁者であることを察知されるなどの問題もあり、着用者の違和感や精神的なダメージも大きい。したがって、現状では、日常生活ができるような軽度の尿失禁者は、残尿感や軽失禁による社会行動の制限や精神的な不安を抱えながら、尿取りパッドなどを装着しないで、少量の尿漏れによる下着の汚れや、尿による湿りやかゆみなどの不快感を我慢して日常活動を行っている人がかなり潜在的に増えている。
【０００６】
本発明は、上記のような問題点を解決し、軽失禁者や、排尿後も少量の尿の漏れが生じる軽度の尿失禁者用者に好適で、洗濯により繰り返し使用可能な軽失禁用の男性用失禁パッドであって、比較的薄くて、フィット性もよく違和感がなく、装着後着用部の隆起が目立ちにくく、尿失禁後もドライ感が良好あり、装着が極めて簡単で、装着した状態で日常活動の歩きなどの動作によるずり上がりや音の発生などが生じにくく、失禁パッドを取り外さなくても便所で容易に放尿できる、気軽に着用でき、着用状態で外出しても他人に失禁者であることを察知されることがなく通常の社会生活ができるなどの利点を有する男性用失禁パッドを提供することを目的とする。
【課題を解決するための手段】
【０００７】
前記課題を解決するために、本発明の男性用失禁パッドは次のものである。
【０００８】
（１）液透過性のトップシートと、透湿性で液不透過性のバックシートと、これら両シート間に液吸収シートが設けられ、
前記液透過性のトップシートは、合成繊維又は合成繊維と綿とからなる編物からなり、
前記液吸収シートは、高吸水性樹脂からなる繊維を主成分とする不織布からなり、
前記透湿性で液不透過性のバックシートは、編物、織物、不織布から選ばれたシート、又は、これらのシートの少なくとも片面に透湿性で液不透過性の微細孔を有するプラスチックフィルム層が設けられたシートからなり、
股部方向が狭幅で、その反対方向が広幅であり、前記のほぼ広幅部分の幅のほぼ中央部に男性の性器部の陰茎を取り出すためのほぼ縦方向に走るスリット部が設けられており、前記スリット部は、スリット部の左右の縁近傍部分が重ね合わされてオーバーラップした構造にされており、
前記バックシートのほぼ広幅部分の外側面には、その左右の両縁近傍にほぼ縦方向にすべり止めテープが設けられている男性用失禁パッド。
【０００９】
（２）前記（１）項に記載の男性用失禁パッドにおいては、前記トップシートと前記液吸収シートとが、両層を貫通する糸により縁部以外の部分でもステッチが施されていることが好ましい。
【００１０】
（３）また、前記（１）又は（２）項に記載の男性用失禁パッドにおいては、前記トップシートが、トリコット編物からなることが好ましい。
【００１１】
（４）また、前記（１）〜（３）項のいずれかに記載の男性用失禁パッドにおいては、前記トップシートを構成する繊維糸の一部が、帯電防止性を有する繊維糸からなることが好ましい。
【００１２】
（５）また、前記（１）〜（４）項のいずれかに記載の男性用失禁パッドにおいては、前記トップシートを構成する繊維糸の少なくとも一部が、抗菌性、消臭性、吸水性から選ばれた少なくとも１種の性能を有する繊維糸からなることが好ましい。
【００１３】
（６）また、前記（１）〜（５）項のいずれかに記載の男性用失禁パッドにおいては、前記トップシートを構成する繊維糸の少なくとも一部が、抗菌性、消臭性及び吸水性を有する繊維糸と、帯電防止性を有する繊維糸とを少なくとも含む繊維糸からなることが好ましい。
【００１４】
（７）また、前記（６）項に記載の男性用失禁パッドにおいては、前記抗菌性、消臭性及び吸水性を有する繊維糸が、抗菌性、消臭性、吸水速乾燥性を有する、アクリル繊維又はポリエステル繊維と、綿との交撚糸からなることが好ましい。
【００１５】
（８）また、前記（６）〜（７）項のいずれかに記載の男性用失禁パッドにおいては、前記トップシートを構成する繊維糸における、抗菌性、消臭性及び吸水性を有する繊維糸ならびに帯電防止性を有する繊維糸以外の繊維糸が、ポリエステル繊維糸であることが好ましい。
【００１６】
（９）また、前記（５）〜（８）項のいずれかに記載の男性用失禁パッドにおいては、用いる抗菌性、消臭性及び吸水性を有する繊維糸のうちの少なくとも一部の量の繊維糸が、前記帯電防止性を有する繊維糸でカバリングされた態様で使用されることが好ましい。
【００１７】
（１０）また、前記（５）〜（９）項のいずれかに記載の男性用失禁パッドにおいては、前記トップシートにおける抗菌性、消臭性及び吸水性を有する繊維糸の使用割合が、前記トップシートを構成する繊維糸全体の５〜３０重量％の範囲であることが好ましい。
【００１８】
（１１）また、前記（４）〜（１０）項のいずれかに記載の男性用失禁パッドにおいては、前記トップシートにおける帯電防止性を有する繊維糸が導電性合成繊維糸からなり、前記トップシートにおける前記導電性合成繊維糸の使用割合が、前記トップシートを構成する繊維糸全体の０．１〜５重量％の範囲であることが好ましい。
【００１９】
（１２）また、前記（１）〜（１１）項のいずれかに記載の男性用失禁パッドにおいては、前記液吸収シートを構成する高吸水性樹脂の繊維を主成分とする不織布の目付けが２０〜３０ｇ／ｍ2であることが好ましい。
【００２０】
（１３）また、前記（１）〜（１２）項のいずれかに記載の男性用失禁パッドにおいては、前記液吸収シートを構成する高吸水性樹脂の繊維が、アクリル酸重合体の架橋物又はアクリル酸重合体の部分塩の架橋物からなる繊維であることが好ましい。
【００２１】
（１４）また、前記（１）〜（１３）項のいずれかに記載の男性用失禁パッドにおいては、バックシートの編物、織物、又は、不織布を構成する繊維糸がポリエステル繊維、アクリル繊維、ポリアミド繊維から選ばれた繊維糸である請求項１〜１３のいずれかに記載の男性用失禁パッド。
【００２２】
（１５）また、前記（１）〜（１４）項のいずれかに記載の男性用失禁パッドにおいては、透湿性で液不透過性の微細孔を有するプラスチックフィルム層が、ポリエチレンフィルムからなるプラスチックフィルム層であることが好ましい。
【００２３】
（１６）また、前記（１）〜（１５）項のいずれかに記載の男性用失禁パッドにおいては、更に、狭幅部のほぼ中央部に、ほぼ縦方向にすべり止めテープが設けられていることが好ましい。
【００２４】
（１７）また、前記（１）〜（１６）項のいずれかに記載の男性用失禁パッドにおいては、厚さが２〜４．５ｍｍであることが好ましい。
【発明の効果】
【００２５】
本発明は、軽失禁者や、排尿後も少量の尿の漏れが生じる軽度の尿失禁者用者に好適で、洗濯により繰り返し使用可能な軽失禁用の男性用失禁パッドであって、比較的薄くて、フィット性もよく違和感がなく、装着後着用部の隆起が目立ちにくく、尿失禁後もドライ感が良好であり、かゆみや炎症が生じにくく、装着が極めて簡単で、装着した状態で日常活動の歩きなどの動作によるずり上がりや音の発生などが生じにくく、失禁パッドを取り外さなくても便所で容易に放尿できる、気軽に着用でき、着用状態で外出しても他人に失禁者であることを察知されることがなく通常の社会生活ができるなどの利点を有する男性用失禁パッドを提供できる。従って、紙製失禁パッドのように使い捨て失禁パッドに比べて、資源の浪費も少なく、環境汚染も少なく、地球環境に対する負荷が少なくて済み、洗濯により繰り返し使用が可能なのでコストも相対的に安くなる。
【発明を実施するための最良の形態】
【００２６】
本発明の理解を容易にするため、以下に具体的実施形態例を引用して、図面を用いながら説明するが、実施形態例は本発明の理解を容易にするための説明のために引用するものであり、本発明が引用した実施形態例のみに限定されるものではない。
【００２７】
図１は本発明の男性用失禁パッドの一実施形態例の液透過性のトップシート側から見た正面図、図２は液不透過性のバックシート側から見た図１の男性用失禁パッドの背面図、図３は本発明の男性用失禁パッドの材料構成を説明するための図１のＡ−Ａ´ラインにおける断面の部分端面概略図、図４は図１と同方向から見た、図１の完成品にする直前の状態を示すトップシート側から見た正面図、図５は図４の反対面側から見た（図４のバックシート側から見た）背面図、図6は男性の性器部の陰茎を取り出すためのスリット部の左右の縁近傍部分の構造を説明するための図１のＢ−Ｂ´ラインにおける断面の部分端面概略図である。
【００２８】
図３に示すように、本発明の男性用失禁パッドは、液透過性のトップシート１と、透湿性で液不透過性のバックシート3と、これら両シート１と3の間に設けられている液吸収シート2とから構成されている。
【００２９】
ここで、液吸収シート2は、高吸水性樹脂からなる繊維を主成分とする不織布からなっている点が特色のひとつであり、不織布を構成する繊維自体が高吸水性樹脂からなる繊維を用いているものである。高吸水性樹脂からなる繊維は、その種類によって異なるとは言え、例えば、アクリル酸重合体の部分塩の架橋物（ポリアクリル酸部分ナトリウム塩架橋物）繊維などを例にとると、吸水性能は、綿の約７倍もの吸水倍率を有しており、従って、本発明においては、紙パルプや綿などのセルロース繊維と高吸水性樹脂粉末とからなるもの液吸収シートに比べて液吸収シートの層を薄くすることができる。しかも、本発明は軽失禁者や、排尿後も少量の尿の漏れが生じる軽度の尿失禁者用者用の失禁パッドを目的としており、寝たきり老人などの介護用に使われる尿取りパッドや使い捨てオムツと比べて、液吸収シートの層をより薄くすることが可能であるのでなおさらである。また、液吸収シート２は、高吸水性樹脂からなる繊維を主成分とする不織布からなるため、パルプや綿などのセルロース繊維と高吸水性樹脂粉末とからなる液吸収シートのように、高吸水性樹脂が粉末状であるのでパルプや綿などのセルロース繊維不織布層から高吸水性樹脂粒子が脱落してしまうなどの恐れも全くない。
【００３０】
図１と同じ方向から見た液吸収シート２の平面形状は液透過性のトップシート１と液不透過性のバックシート３とほぼ同一にされる。言い換えれば、トップシート１の下側にはほぼ全面にわたって液吸収シート２が存在する。しかし、必要に応じて不要部分は少々液吸収シート２が欠落していてもよい。
【００３１】
高吸水性樹脂からなる繊維としては、公知の高吸水性樹脂で繊維状にし得るものであればいずれでも使用可能である。その中でも、特にアクリル酸重合体の架橋物又はアクリル酸重合体の部分塩の架橋物からなる繊維は、アンモニア消臭性があり、耐久性、必要な耐熱性なども満足し、廃棄する際に仮にごみとして燃やした場合も、燃焼カロリーの低さなどの点からも好ましい。高吸水性樹脂からなる繊維の具体的な商品例としては、“テイジンベルオアシス”（帝人株式会社）などが代表例として挙げられるが、これに限定されるものではない。
【００３２】
液吸収シートを構成する繊維は５０重量％以上が高吸水性樹脂からなる繊維であることが必要で、好ましくは６０重量％以上、より好ましくは７０重量％以上、一層好ましくは８０重量％以上、更に好ましくは９０重量％以上、最も好ましくは１００重量％が高吸水性樹脂からなる繊維であるなど、高吸水性樹脂からなる繊維の割合が多いほど液吸収シートの単位重量当たりの尿吸収量を大きくすることができ、従って液吸収シートを薄くすることもできるので好ましい。液吸収シートを構成する繊維として高吸水性樹脂からなる繊維以外の他の繊維を混合又は他の繊維成分と複合繊維にして使用する場合には、他の繊維としては、尿吸収量の多い繊維が好ましく、綿、レーヨン、パルプ繊維などのセルロース系繊維が好ましい。
【００３３】
液吸収シート２の目付けは、必要な液吸収量を保持する観点とあまり厚くなったり重くならないようにするという観点から、特に限定するものではないが、２０〜３０ｇ／ｍ2の範囲であることが好ましい。この範囲では２００〜３００ｃｃ程度の尿が吸収可能とり、失禁した場合の漏れ防止限度に余裕を持たせる観点から安全性を見て最大でも２００ｃｃまで、通常、１００ｃｃまでの尿を吸収できればよいので、上記目付けの範囲の液吸収シートは、軽失禁用パッドとして好適である。液吸収シート２の厚さも特に限定するものではないが１〜１．５ｍｍ程度にする事が好ましい。
【００３４】
液透過性のトップシート１は、着用者の肌側に位置するシートであり、排尿を速やかに透過し、好ましくは、排尿を拡散して透過する合成繊維又は合成繊維と綿とからなる編物からなる。
【００３５】
液透過性のトップシート１を構成する伸縮性を有する編物としては、トリコット編物などの経編物が好ましく、繰り返し洗濯耐久性、吸水容量などを大きくし得るなどの観点からも特にトリコット編物が好ましい。液透過性のトップシート１としては、やや厚めのものが好ましく、その意味では２枚以上の筬を用いて編んだトリコットが好ましい。尚、編物の厚みは用いる繊維や糸の太さによっても変えることができる。
【００３６】
液透過性のトップシート１は、帯電防止性の合成繊維糸を含む伸縮性を有する編物からなっていることが好ましい。性器部近傍に生じるかゆみや炎症は、下着とズボン生地などが歩く際に触れ合って生じた静電気も原因の一つとされており、静電気の発生を防止する機能が必要となる。また、帯電防止性の合成繊維糸を含まない場合には、洗濯してドライヤーなどで乾燥すると、極めて静電気が帯電しやすく、特に乾燥機から取り出す時や、たたむ時などに放電し、極めて不快であったり、静電気により、複数枚の失禁パッドがぴったりとくっついて、乾燥に時間がかかることによるエネルギーの浪費などを生じる点でも問題である。
【００３７】
帯電防止性の合成繊維糸としては、通常、体積固有抵抗が１０12Ω・ｃｍ以下の繊維が帯電防止性の合成繊維とされており、その中でも、特に体積固有抵抗が１０7Ω・ｃｍ以下の繊維は導電性繊維と称されている。本発明においては、導電性繊維のような特に体積固有抵抗が低いものを用いることがより好ましいが、通常の帯電防止性の合成繊維糸を用いてもよいことはもちろんである。帯電防止性の合成繊維糸としては、帯電防止性のポリエステル繊維糸を用いることが好ましい。帯電防止性ポリエステル繊維としては、特に限定するものではないが、帯電防止剤、例えば、ポリアルキレングリコールその他の制電剤を重合または紡糸時にポリエステル繊維に練り込んだものや、ポリエステル繊維の表面を適宜の帯電防止剤で処理したものなど、各種の帯電防止性ポリエステル繊維が用いられる。
【００３８】
また、導電性繊維としては、導電性物質として例えばカーボンブラックを用いた複合ポリエステル繊維、白色のヨウ化銅や金属複合酸化物（例えば、ＴｉＯ2・ＳｎＯ2・Ｓｂ2Ｏ2）を用いた複合ポリエステル繊維などが挙げられるが、これらに限定されるものではない。導電性合成繊維糸を使用する場合の使用割合は、特に限定するものではないが、帯電防止性の付与とコストの関係からトップシート１編物全体の０．１〜５重量％、より好ましくは０．２〜２重量％程度の範囲でよい。
【００３９】
そして液透過性のトップシート１を構成する繊維糸の少なくとも一部が、抗菌性、消臭性、吸水性から選ばれた少なくとも１種の性能を有する繊維糸を用いることが好ましい。これらの性能を有する繊維は、市販されているので、特に限定するものではない。例えば、抗菌性を有する繊維としては、抗菌性金属を含むセラミックス（例えば、銀、銅または亜鉛イオンを複合したゼオライトなど）、ポリフェノール類、抗菌性第４級アンモニウム塩（例えば、セチルジメチルアンモニウムクロライドなど）、キトサンなどの適宜の抗菌剤が添加ないし繊維表面に固着された繊維などが挙げられる。消臭性の付与も、尿や汗を分解して臭気を発生させる菌の増殖を抑える上記のような抗菌剤を用いる場合と、酸化チタンの如く、光触媒を用いて、紫外線が当たると活性酸素を発生させ、有機物質を分解させる抗菌性と消臭性を兼ねるもの、金属・フタロシアニン錯化合物を用いたもの、あるいは例えば、活性炭、シリカゲル、アルミナ、活性白土、モレキュラーシーブ、嵩比重の大きな非晶質アルミノシリケートなど、のようなアンモニア、メチルメルカプタン、硫化水素などの臭気成分に対する吸着性能が高い物質が添加ないし繊維表面に固着された繊維などが挙げられる。もちろん、抗菌性と消臭性を兼ねた添加剤が用いられた繊維を使用してもよい。
【００４０】
トップシートとしては排尿を容易に透過し、且つ、排尿があった場合でもじめじめせずにサラットした感触となるものが好ましく、従ってトップシートを構成する繊維糸としては吸水速乾燥性を有する繊維糸を少なくとも一部にもちいることが好ましい。吸水速乾燥性を付与するには、前述したようにポリエステル繊維やアクリル繊維など重合体自体として吸湿性の少ない素材を用い、中空繊維状にしてその壁面に更に小さな孔が多数設けられている繊維形状にしたものとか、繊維表面などに多くの溝や孔などが設けられて、吸水性はこれら繊維自体の微小な孔、繊維表面の溝、繊維間、糸間の空隙に水分が吸収されるようにした異形断面形状の繊維など、水分の入り込む微小な孔や空隙を設けたものなどが挙げられる。
【００４１】
本発明においてこれらの繊維を利用して、液透過性のトップシート１の編物を構成する糸として使用する場合の特に好ましい態様としては、抗菌性、消臭性、吸水速乾燥性を有するアクリル繊維あるいはポリエステル繊維などの３つの性能を同時に具備した合成繊維と、綿との精紡交撚糸などを用いることが特に好ましい。もちろんかかるアクリル繊維やポリエステル繊維と綿との混紡糸などを用いることも可能である。かかる、抗菌性、消臭性、吸水速乾燥性を有する合成繊維としては、抗菌剤と消臭剤が添加され、繊維の表面や内部に多数の孔を持たせたアクリル繊維やポリエステル繊維などと綿との精紡交撚糸を用いることが極めて好ましい。この場合に、抗菌性、消臭性、吸水速乾燥性を有する合成繊維と綿との使用割合は、抗菌性、消臭性、吸水速乾燥性を有する合成繊維が８５〜４５重量％、より好ましくは、７５〜５５重量％の範囲が好ましい。
【００４２】
尚、前述した帯電防止性合成繊維糸ないし導電性合成繊維糸は、液透過性のトップシート１に使用する上述した抗菌性、消臭性、吸水速乾燥性を有する合成繊維と綿との精紡交撚糸のうちの一部の糸に前記帯電防止性合成繊維糸ないし導電性合成繊維糸をカバリングして用いてもよい。前記帯電防止性合成繊維糸ないし導電性合成繊維糸がなるべく編物表面側に露出しやすくなり、帯電防止効果を効率的に発揮しやすくなると言う観点から、上述のように帯電防止性合成繊維糸ないし導電性合成繊維糸をカバリング糸として用いることは好ましい。
【００４３】
前記、抗菌性、消臭性、吸水速乾燥性を有する合成繊維と綿との精紡交撚糸の使用割合は、液透過性のトップシート１の伸縮性を有する編物全体の、５〜３０重量％、より好ましくは８〜２５重量％の範囲であることがコストをあまり高くせずに抗菌性、消臭性、吸水性など好ましい性能を付与する観点から好ましい。
【００４４】
本発明で用いる液透過性のトップシート１の編物を構成する繊維糸において、上述した抗菌性、消臭性及び吸水性を有する繊維糸ならびに帯電防止性を有する繊維糸以外の繊維糸として、ポリエステル繊維糸を用いることが好ましい。
【００４５】
上述した抗菌性、消臭性及び吸水性を有する繊維糸ならびに帯電防止性を有する繊維糸は比較的高価であるので、ポリエステルのウーリー加工糸などの汎用のポリエステル繊維糸（レギュラーポリエステル繊維糸）を液透過性のトップシート１の編物を構成する繊維糸の９４．９〜６５重量％、より好ましくは９０〜７０重量％の割合で適宜調整して用いることが好ましい。この程度の範囲で汎用のポリエステル繊維糸を用いても液透過性のトップシート１の抗菌性、消臭性、吸水性、帯電防止性を必要な範囲に保つことが可能である。必要に応じて、かかる汎用のポリエステル繊維糸は、上述した抗菌性、消臭性、吸水速乾燥性を有する合成繊維と綿との精紡交撚糸として使用する糸のうちの一部の糸にカバリングして用いてもよい。
【００４６】
そして排尿した場合に、尿がトップシート１を速やかに透過してトップシート１から液吸収シート２へ速やかに吸収されるようにするため、前記トップシート１と前記液吸収シート２とは、両層を貫通する糸により縁部以外の部分でもステッチが施されていることが好ましい。通常、トップシート１、液吸収シート２、バックシート３はその縁部周囲が、ロックミシンなどによる縁かがり縫いや、バイアステープなどを使用したくるみ縫いなどの適宜の手段で縫合されてこの３つの層が一体化されているが、図1や図３に示すように、前記トップシート１と前記液吸収シート２とは、縁部以外の部分でも両層を貫通する糸４によりステッチが施されていることが上述した理由により好ましい。図1ではキルト状に糸４によりステッチが施されている例を示したが、ステッチは、例えば縦方向に複数列に施したもの、横方向に複数列に施したもの、この両者を同時に施したものなど、特に限定するものではない。この場合のステッチ糸４としては、特に限定するものではないが、尿がトップシート１を速やかに透過して液吸収シート２へ速やかに導かれる機能が優れている点からはポリエステル繊維糸が特に好ましい。
【００４７】
前述したようなトップシートと液吸収シートの組み合わせにより、本発明の男性用失禁パッドは、排尿吸収後もドライ感が良好で、蒸れが生じにくく、いつも乾燥した失禁パッドを着用しているような着用感を与えることができる。
【００４８】
バックシートは、透湿性で液不透過性であれば、編物、織物、不織布から選ばれたシート、又は、これらのシートの少なくとも片面に透湿性で液不透過性の微細孔を有するプラスチックフィルム層が設けられたシートなどいずれでもよい。
【００４９】
編物、織物、不織布を構成する繊維としては、コストや性能の面を合わせて考慮すると、ポリエステル繊維、ポリアミド繊維が好ましく、特にポリエステル繊維が好ましい。
【００５０】
透湿性で液不透過性の編物、織物、不織布から選ばれたシートとは、もちろん単なる疎水性の繊維糸からなる編物、織物、不織布としただけでは、液不透過性とならない場合には、適宜、撥水処理、その他の処理などをして透湿性で液不透過性を編物、織物、不織布に付与して用いてもよいという意味である。
【００５１】
編物、織物、不織布から選ばれたシートの少なくとも片面に透湿性で液不透過性の微細孔を有するプラスチックフィルム層が設けられたシートは、通常、よく用いられているバックシートの態様である。微細孔を有するプラスチックフィルム層としては、微細孔を有するポリエチレンフィルム層が最もよく用いられている。このような少なくとも片面に透湿性で液不透過性の微細孔を有するプラスチックフィルム層が設けられたシートにおいては、適宜の強度を有すること、なるべく薄くできること、柔軟で、着用した際に男性の性器部の形に添いやすい、フィット性やフィット感がよいという３つの観点からは編物の片面（好ましくは液吸収シートと接する側の面）に透湿性で液不透過性の微細孔を有するプラスチックフィルム層が設けられたシートが好ましい。プラスチックフィルム層を設ける場合には、バックシートの液吸収シートと接する側の面にプラスチックフィルム層を設ける方が、縫製する際にミシンがフィルム層にくっつきミシン掛けがしにくくなるなどの問題もなく、ミシン掛けがスムーズにでき、また、失禁パッド外側面にプラスチックフィルム層が表れないので、ぬめり感がなく手触りがよく好ましい。バックシートを構成する編物としては、経編物、丸編物などいずれでもよい。織物を用いる場合にはポリエステル繊維の平織が好ましいが、特にこれに限定されるものではない。編物の方が、フィット性がよく好ましい。
【００５２】
尚、後述するように、バックシート３のほぼ広幅部分Ｘの外側面には、その左右の両縁近傍にほぼ縦方向にすべり止めテープ２０ａ、２０ｂ（図２参照）が設けられている。また、必要に応じてバックシート３の狭幅部Ｙの外側面のほぼ中央部に縦方向に更に同様の滑り止めテープ２０ｃ（図８参照）が設けられていてもよい。
【００５３】
本発明における男性用失禁パッドの形状は、図１や図2に示されるように、股部方向（符号6は男性用失禁パッドの股部側の縁を示しているが、その縁6側の方向）が狭幅で（狭幅部をＹで示した）、その反対方向（符号７は男性用失禁パッドのウェスト側の縁を示しているが、その縁７側の方向）が広幅（広幅部をＸで示した）であり、前記のほぼ広幅部分の幅のほぼ中央部に男性の性器部の陰茎を取り出すためのほぼ縦方向に走るスリット部１０（トップシート側から見えるスリットの縁部１０ａ、バックシート側から見えるスリットの縁部１０ｂ）が設けられており、前記スリット部は、スリット部の左右の縁部１０ａ、１０ｂ近傍部分が重ね合わされてオーバーラップした構造にされている。図１及び２に示した例ではオーバーラップ部分はスリットの縁部１０ａ、１０ｂのラインとウェスト方向側の縁7とで囲まれる略２等辺三角形状の部分である。
【００５４】
この態様をより理解しやすく説明するために、図１と同方向から見た、図１の完成品にする直前の状態を示すトップシート側から見た正面図である図４、並びに図４の反対面側から見た背面図である図５、更にスリット部の左右の縁近傍部分の構造を説明するための図１のＢ−Ｂ´ラインにおける断面の部分端面概略図である図6を示した。
【００５５】
図１や図２の完成品の直前の状態が図４、図５で示されている。図４、図５からも明らかなように、完成品の直前の工程で、男性用失禁パッドのほぼ広幅部分Ｘの幅のほぼ中央部に縦方向に走るスリット部１０を設ける。そして、スリット部１０により分けられた左右それぞれの広幅片側半部分１２ａと１２ｂをこの例では広幅片側半部分１２ａが肌側になるように（図６の１２ａで示したように１２ｂの下側になるように）矢印１１ａの方向に動かして、広幅片側半部分１２ｂと一部重ね合わせる（オーバーラップさせる）。広幅片側半部分１２ｂの方を主体にして説明すれば、広幅片側半部分１２ｂが着用者の肌側面と反対の外側になるように（図６の１２ｂで示したように１２ａの上側になるように）矢印１１ｂの方向に動かして、広幅片側半部分１２ａと一部重ね合わせる（オーバーラップさせる）。オーバーラップした部分が、図１、図２ではスリットの縁部１０ａ、１０ｂのラインとウェスト方向側の縁7とで囲まれる略２等辺三角形状の部分で示してある。そして、ウェスト方向側の縁7近傍で、上記縁に沿って、一部重ね合わせた広幅片側半部分１２ａと１２ｂとを縫合ライン９で示したように縫合する。
【００５６】
そして図６は、図の下側が着用者の肌側になるように示した図であり１ａ側がトップシート側、３ａ側がバックシート側であり、着用者が便所で放尿する場合には、広幅片側半部分１２ａと１２ｂのオーバーラップした部分のスリット１０の右側矢印１３から指を突っ込んでスリット部分を開いてスリット部分から陰茎の先端を外に露出させて、失禁用パッドを汚すことなく放尿もすることができる。放尿した後の陰茎をもとの位置に戻すことも極めて簡単にできる。また、このように便所で放尿したあと、残尿などの尿漏れがあっても、広幅片側半部分１２ａと１２ｂのオーバーラップした部分は２重になっているので、より吸収量が多くなり、重ね合わせ面でしっかり吸収でき外部への漏れも防止できる。上記の実施形態例で示したようなスリットをもうけて、広幅片側半部分１２ａと１２ｂをウェスト近傍でのオーバーラップ幅がそれより股方向側でのオーバーラップ幅に比べて大きくなるような態様とすることにより、このスリットがダーツの役割を果たし横方向の断面形状を男性の性器部を包み込むような形状にすることができ、しかも極めて簡単に製造できるので好ましい。
【００５７】
スリット部におけるオーバーラップさせる左右の縁近傍部分の重ね合わせの方式は、上記の態様に示したものが、簡単に製造でき、好ましいが、この態様のみに限定されるものではなく、本発明の目的を実現できる限り、他の適宜の態様とすることもできる。すなわち、従来より男性用下着パンツで前あき部として採用されている放尿時に陰茎先端部の出し入れ用のスリット部における公知のオーバーラップ構造を採用してもよい。
【００５８】
またスリット部の片側半部分１２ａと１２ｂの重ね合わせ方は、左利きの着用者用には、片側半部分１２ａが上側、１２ｂが下側（肌側）になるように、重ね合わせたものとしてもよい。
【００５９】
そして、前述した様に、前記バックシート3のほぼ広幅部分の外側面には、その左右の両縁近傍にほぼ縦方向にすべり止めテープが設けられている。
【００６０】
すべり止めテープ２０ａ、２０ｂは、歩行によって男性用失禁パッドが左右の足を挙げるときに押し上げられ、ずり上がってくるのを防止するために必要である。そのため、すべり止めテープは、バックシート3のほぼ広幅部分の外側面の左右の両縁近傍にほぼ縦方向に取り付けられていることが必要である。バックシート3のほぼ広幅部分の外側面の左右の両縁近傍とは、図２に示されたように左右の両縁よりやや内側にほぼ縦方向に取り付けられていることも含む意味であり、広幅部分の幅に応じて変わるが、左右の両縁よりやや内側にほぼ縦方向に取り付けられていることが好ましい。すなわち、男性の性器部を両脇側から包み込む位置にすべり止めテープが位置することが好ましいが、特にこれのみに限定されるものではない。
【００６１】
すべり止めテープは、粘着テープのような、洗濯に耐えられないものではなく、布テープ生地表面にドット状にゴムが固着されたテープなど、摩擦力の大きいゴム類が表面の一部ないし全部に露出しているものが好ましい。図２や図５で示したすべり止めテープ２０ａや２０ｂは、布テープ生地２１の幅中央部分表面に多数のドット状のゴム２２を固着させたすべり止めテープを示した。
【００６２】
男性用失禁パッドのずり下がりを防止するために、男性用失禁パッドを着用する際、男性用失禁パッドのウェスト方向側の縁7かそれよりやや下の位置が着用者の下着パンツのウェストゴムバンドで着用者の身体との間にはさまれるようにして着用する。
【００６３】
従って、男性用失禁パッドの長さは、男性性器付け根よりやや下の股下から、前側の下着パンツのウェストゴムバンドを若干超える程度の長さとすることが好ましい。
【００６４】
着用する下着パンツとしては、本発明の男性用失禁パッドを着用した場合に、失禁パッドの使用中のズレが比較的少なくできると言う観点から、ボクサータイプ、ブリーフタイプ、ビキニタイプなどのタイプの下着パンツが好ましい。
本発明の男性用失禁パッドの長さは、着用者個々のサイズに応じ、適宜設定すればよいが、Ｌサイズなら４０〜５０ｃｍ、Ｍサイズなら２８〜４０未満ｃｍ、Ｓサイズなら２０〜２８未満ｃｍなどが一つの目安となろう。
【００６５】
広幅部分Xと狭幅部分Yの縦方向の長さの比率も、特に限定するものではないが、広幅部分Xと狭幅部分Yの縦方向の長さの比で、およそ７：３〜８：２程度が基本的な目安である。図１〜２に示した態様の場合は、広幅部分Xの長さの割合が、後述する図７〜８に示す態様の男性用失禁パッドに比べて、小さい態様である。
【００６６】
尚、トップシートの厚さも特に限定するものではなく、０．７〜１．５ｍｍ程度が好ましく、バックシートの厚さも特に限定するものではないが０．３〜１．５ｍｍ程度が好ましい。液吸収シートの厚さも特に限定するものではないが、上述したように１〜１．５ｍｍ程度にする事が好ましい。バックシートに透湿性で液不透過性の微細孔を有するプラスチックフィルム層が積層される場合の、プラスチックフィルムの厚さも特に限定するものではないが、５〜１０μｍのような薄いものがフィット製の観点から好ましい。
【００６７】
また、図１や図２に示した平面形状の代わりに四隅のコーナー部の形状をもっと角ばらせたり、丸みを帯びさせたりするなど、本発明の失禁パッドの性能を保持する限り平面形状を適宜変えることはかまわない。しかし、睾丸の付け根に接する部分から上の部分の幅は、それより下の狭幅部分より広くしておくことが、失禁した尿をしっかりと吸収する観点から好ましい。
【００６８】
次に図７〜８に、本発明の男性用失禁パッドの別の一実施形態例の液透過性のトップシート側から見た正面図、その背面図を示した。
【００６９】
図７〜８で示した男性用失禁パッドの実施形態例は、図１〜２で説明した実施形態例と、各液透過性のトップシート、透湿性で液不透過性のバックシート、これら両シート間に設けられた液吸収シートの素材、厚さ、などの大部分の態様は、先に説明したものと同様であるので、説明を省略し、特に、図１〜２で説明した実施形態例と異なる点を主体に説明する。なお、図７〜８の実施形態例において、図１〜２で付した符号と同じ符号が付されている部分で、特に説明がない部分は、図１〜２で説明した実施形態例と同様である。
【００７０】
図７〜８の実施形態例において、図１〜２で説明した失禁パッドに比べ広幅部Ｘと狭幅部Ｙの長さの比が異なっている。図７〜８の実施形態例の失禁パッドは、図１〜２で説明した失禁パッドに比べ広幅部Ｘの長さの比率が大きいタイプである。図７〜８の失禁パッドのスリット部（１０）（トップシート側から見えるスリットの縁部１０ａ、バックシート側から見えるスリットの縁部１０ｂ）の長さも図１〜２の失禁パッドに比べ長く、スリットの下方の終端部２３とウェスト方向側の縁7の縫合ライン９までの間がスリット部となっており、スリット部の左右の縁近傍部分が重ね合わされてオーバーラップした構造にされている（図６参照）。また、図７〜８の実施形態例の失禁パッドは、左右の片側半部分部片１２ａ´、１２ｂ´から形成されており、左右の片側半部分部片１２ａ´、１２ｂ´は、スリットの下方の終端部２３から失禁パッドの最下端である股部側の縁６の間２４は相互に開かないようにすべり止めテープ２０ｃと共に縫合されている。すなわち失禁パッドのバックシート３の外側面に、更に、ほぼ縦方向にすべり止めテープ２０ｃを配置し、すべり止めテープ２０ｃを失禁パッドの全層に縫合することにより、スリットの下方の終端部２３から失禁パッドの最下端である股部側の縁６の間２４は相互に開かないように一体化されている。その他の点は、図１〜２の失禁パッドとほぼ同様の構造である。この図７〜８に示した実施形態例の失禁パッドは、すべり止めテープ２０ａ、２０ｂのほかに、更に狭幅部のほぼ中央部に、ほぼ縦方向にすべり止めテープ２０ｃが設けられているので、男性用失禁パッドを着用し使用している状態での位置ズレをより一層防止でき好ましい。
【００７１】
なお、図７〜８に示した上記態様では、左右の片側半部分部片１２ａ´、１２ｂ´の下方部分の間２４をすべり止めテープ２０ｃで繋ぎ合わせる態様としたが、下方部分の間２４に相当する部分が、はじめから一体になっている図１や図２で示したような態様において、狭幅部のほぼ中央部に、ほぼ縦方向にすべり止めテープ２０ｃを設けてもよいことは勿論である。
【００７２】
図１〜２及び図７〜８に示す本発明の男性用失禁パッドの具体的実施例として、トップシート１、液吸収シート２及びバックシート３、ならびにすべり止めテープに用いられた具体的素材の構成を、一例として、次に示した。これは、素材の具体例の一例であり、何らこの態様に限定されるものではない。
【００７３】
＜液透過性のトップシート１＞
トリコット編
抗菌性、消臭性、吸水性糸としては銀イオン入りＡＮ繊維６５％と綿３５％の精紡交撚糸（以下、これをＳＫ糸と略称する）を用いた。５つのビームに巻かれた次のような５種類の糸（但し、(4)と(5)は同じ）を用い４枚筬を使用しトリコットとした。尚、ＰＥＴ繊維はポリエチレンテレフタレート繊維、ＡＮ繊維はアクリル繊維を示す。
【００７４】
(1)レギュラーＰＥＴ繊維糸（ウリー加工糸１６７ｄｔｅｘ／４８ｆ）
(2)ＳＫ糸を２０番手導電性ＰＥＴ繊維糸（“ベルトロン”等ＫＢセーレン製）
でカバリングした糸
（ＳＫ糸８５％、導電性ＰＥＴ繊維糸１５％）
(3)ＳＫ糸を３３ｄｔｅｘのレギュラーＰＥＴ繊維糸（ウリー加工糸）で
カバリングした糸
（ＳＫ糸７５％、レギュラーＰＥＴ繊維糸２５％）
(4)レギュラーＰＥＴ繊維糸（ウリー加工糸３３ｄｔｅｘ／１２ｆ）
(5)レギュラーＰＥＴ繊維糸（ウリー加工糸３３ｄｔｅｘ／１２ｆ）
【００７５】
液透過性のトップシート１における上記各(1)〜(5)の繊維糸の使用比率：
（1）63.5％、（2）1.7％、（3）16.6％、（4）9.1％、（5）9.1％
（％は何れも重量％）
【００７６】
＜液吸収シート２＞
“テイジンベルオアシス”ポリアクリル酸部分ナトリウム塩の架橋物からなる太さ９ｄｔｅｘの繊維から成る不織布
液吸収シート厚み：１．２ｍｍ、目付け２０ｇ／ｍ2
【００７７】
＜バックシート３＞
ポリエステル防水布（小松精練株式会社製  品番K9200）
太さ６８ｄｔｅｘのＰＥＴ繊維糸から成るトリコットの片面に、透湿性で液不透過性の微細孔を有する厚さ５μｍのポリエチレンフィルム層が積層された防水布
【００７８】
＜滑り止めテープ＞
商品名  「すべり止めテープ  白２５ｍｍ」（モリト株式会社製）
生地：ポリエステル織物、ゴム部分：“オペロンゴム”（ポリウレタン）
【産業上の利用可能性】
【００７９】
本発明の男性用失禁パッドは、通常の男性用の下着パンツと肌の間に入れるだけで、軽失禁者や、排尿後も少量の尿の漏れが生じる軽度の尿失禁者用者に好適で、洗濯により繰り返し使用可能な軽失禁者用の男性用失禁パッドであって、比較的薄くて、フィット性もよく違和感がなく、装着後着用部の隆起が目立ちにくく、尿失禁後もドライ感があり、かゆみや炎症が生じにくく、装着が極めて簡単で、装着した状態で日常活動の歩きなどの動作によるずり上がりや音の発生などが生じにくく、失禁パッドを取り外さなくても便所で容易に放尿できる、気軽に着用でき、着用状態で外出しても他人に失禁者であることを察知されることがなく通常の社会生活ができるなどの利点を有する男性用失禁パッドを提供できる。そして、紙製失禁パッドのように使い捨て失禁パッドに比べて、資源の浪費も少なく、環境汚染も少なく、地球環境に対する負荷が少なくて済み、洗濯により繰り返し使用が可能なのでコストも相対的に安くなる。従って、軽度の尿失禁者に好適な男性用失禁パッドとして有用である。
【図面の簡単な説明】
【００８０】
【図１】本発明の男性用失禁パッドの一実施形態例の液透過性のトップシート側から見た正面図。
【図２】液不透過性のバックシート側から見た図１の男性用失禁パッドの背面図。
【図３】本発明の男性用失禁パッドの材料構成を説明するための図１のＡ−Ａ´ラインにおける断面の部分端面概略図。
【図４】図１の男性用失禁パッド完成品にする直前の状態を示すトップシート側から見た正面図。
【図５】図４の反対面側から見た（図４のバックシート側から見た）背面図。
【図６】図１のＢ−Ｂ´ラインにおける断面の部分端面概略図。
【図７】本発明の男性用失禁パッドの別の一実施形態例の液透過性のトップシート側から見た正面図
【図８】液不透過性のバックシート側から見た図７の男性用失禁パッドの背面図。
【符号の説明】
【００８１】
１    液透過性のトップシート
２    液吸収シート
３    透湿性で液不透過性のバックシート
４    ステッチ糸
６    男性用失禁パッドの股部側の縁
７    男性用失禁パッドのウェスト側の縁
１０  スリット部
１０ａ  トップシート側から見えるスリットの縁部
１０ｂ  バックシート側から見えるスリットの縁部
１ａ  トップシート側
３ａ  バックシート側
１２ａ、１２ｂ  広幅片側半部分
１２ａ´、１２ｂ´  片側半部分部片
２０ａ、２０ｂ、２０ｃ  すべり止めテープ
２１  布テープ生地
２２  ドット状のゴム
２３  スリットの下方の終端部
２４  スリットの下方の終端部２３から失禁パッドの最下端である股部側の縁６の間
【図１】
2008023247.tif 000003
【図２】
2008023247.tif 000004
【図３】
2008023247.tif 000005
【図４】
2008023247.tif 000006
【図５】
2008023247.tif 000007
【図６】
2008023247.tif 000008
【図７】
2008023247.tif 000009
【図８】
2008023247.tif 000010